(57)【要約】【課題】割ったガラスの穴から片手を差し入れて行われる不正解錠を防止することができる引き戸用錠を提供すること。【解決手段】一方の引き戸Ｄ１に固定する係止片１と、この係止片１に取着し、他方の引き戸Ｄ２に当接することにより施錠する錠本体２とを備え、錠本体２に、係止片１に係合することにより錠本体２を固定するカム３と、このカム３の係合を解除する操作片４とを設ける。【選択図】  図２
2005023636.tif 000002
【特許請求の範囲】
【請求項１】
一方の引き戸に固定する係止片と、該係止片に取着し、他方の引き戸に当接することにより施錠する錠本体とを備え、該錠本体に、前記係止片に係合することにより錠本体を固定するカムと、該カムの係合を解除する操作片とを設けた引き戸用錠において、前記錠本体に、操作片に係合し該操作片をカムの係合位置で固定するフックカムと、該フックカムの係合を解除するフックカム操作片とを設けたことを特徴とする引き戸用錠。
【請求項２】
操作片を回転動作により操作するよう構成するとともに、フックカム操作片を略直線動作により操作するように構成したことを特徴とする請求項１記載の引き戸用錠。
【請求項３】
操作片をカムの係合位置に自動的に復帰させる付勢手段を配設したことを特徴とする請求項１又は２記載の引き戸用錠。
【発明の詳細な説明】
【０００１】
【発明の属する技術分野】
本発明は、補助錠として使用される引き戸用錠に関し、特に、割ったガラスの穴から片手を差し入れて行われる不正解錠を防止することができる引き戸用錠に関するものである。
【０００２】
【従来の技術】
例えば、アルミサッシの引き戸（本明細書において窓の戸を含む。）にはクレセント錠が付設されているが、それだけでは、不正解錠工具をガラス枠の隙間から差し入れ、鎌部を回転させて不正解錠される場合がある。
そこで、従来は、後付の補助錠として、一方の引き戸に固定する係止片と、該係止片に取着し、他方の引き戸に当接することにより施錠する錠本体とを備えた引き戸用錠が使用されている。錠本体は、前記係止片に係合することにより錠本体を固定するカムと、該カムの係合を解除する操作片とを備えている。
【０００３】
【発明が解決しようとする課題】
しかしながら、最近の不正解錠は、引き戸のガラスを小さく割って穴を開け、このガラスの穴から片手を差し入れることによって引き戸用錠の操作片を操作するケースも増加しており、補助錠を付けていても不正解錠の被害から免れないことも多くなっている。
【０００４】
本発明は、上記従来の引き戸用錠が有する問題点に鑑み、割ったガラスの穴から片手を差し入れて行われる不正解錠を防止することができる引き戸用錠を提供することを目的とする。
【０００５】
【課題を解決するための手段】
上記目的を達成するため、本発明の引き戸用錠は、一方の引き戸に固定する係止片と、該係止片に取着し、他方の引き戸に当接することにより施錠する錠本体とを備え、該錠本体に、前記係止片に係合することにより錠本体を固定するカムと、該カムの係合を解除する操作片とを設けた引き戸用錠において、前記錠本体に、操作片に係合し該操作片をカムの係合位置で固定するフックカムと、該フックカムの係合を解除するフックカム操作片とを設けたことを特徴とする。
【０００６】
この引き戸用錠は、一方の引き戸に固定する係止片と、該係止片に取着し、他方の引き戸に当接することにより施錠する錠本体とを備え、該錠本体に、前記係止片に係合することにより錠本体を固定するカムと、該カムの係合を解除する操作片とを設けた引き戸用錠において、前記錠本体に、操作片に係合し該操作片をカムの係合位置で固定するフックカムと、該フックカムの係合を解除するフックカム操作片とを設けることから、フックカム操作片を操作しながら操作片を操作して錠本体を解錠する必要があり、両手を使わなくては解錠できないことから、割ったガラスの穴から片手を差し入れて行われる不正解錠を防止することができる。
【０００７】
この場合において、操作片を回転動作により操作するよう構成するとともに、フックカム操作片を略直線動作により操作するように構成することができる。
【０００８】
これにより、片手での解錠操作をより確実にできなくして、不正解錠をさらに効果的に防止することができる。
【０００９】
また、操作片をカムの係合位置に自動的に復帰させる付勢手段を配設することができる。
【００１０】
これにより、引き戸用錠の操作性を向上することができる。
【００１１】
【発明の実施の形態】
以下、本発明の引き戸用錠の実施の形態を図面に基づいて説明する。
【００１２】
図１〜図６に、本発明の引き戸用錠の第１実施例を示す。
この引き戸用錠は、図１〜図２に示すように、一方の引き戸Ｄ１に固定する係止片１と、該係止片１に取着し、他方の引き戸Ｄ２に当接することにより施錠する錠本体２とを備え、該錠本体２に、前記係止片１に係合することにより錠本体２を固定するカム３と、該カム３の係合を解除する操作片４とを設けている。
そして、この引き戸用錠は、操作片４に係合し該操作片４をカム３の係合位置で固定するフックカム５と、該フックカム５の係合を解除するフックカム操作片６とを、前記錠本体２に設けている。
【００１３】
係止片１は、引き戸の合わせ部付近で、外側の戸Ｄ１のガラス枠にビス止めされる。
この係止片１は、鋸刃状の歯部１１を備え、前記錠本体２のカム３がこの歯部１１にラチェット状に歯合する。
なお、歯部１１は係止片１の上下に形成されているが、上側の歯部１１は、左右の引き戸が内外逆に合わせられる部分で使用される。
【００１４】
一方、錠本体２は、図１に示すように、チャネル状の係止片１にスライドするように挿入され、前記カム３が一方向クラッチのように歯部１１に歯合することにより、最後まで押し込まれた位置で係止片１に固定される。
錠本体２は、この押し込まれた位置で、ケーシング２１の裏板２２に設けたストッパ片７が他方の引き戸Ｄ２に当接することにより施錠することができる。
【００１５】
カム３は、図２に示すように、一端が錠本体のケーシング２１に揺動可能に軸支されるとともに、他端に設けたカム歯３１の突出方向にばね３２によって付勢されている。
カム３のカム歯３１の上には透孔３３が形成されており、図４にも示すように、該透孔３３には、後述する操作片４の突起４１が遊嵌される。
【００１６】
操作片４は、錠本体のケーシング２１に回動可能に設けられた円柱状のツマミからなり、図３に示すように、ばね４４により付勢されたピン４５により抜け止めされて錠本体のケーシング２１に嵌挿されている。
この操作片４は、カム３の係合位置から所定角度回転させることにより、カム３の透孔３３に嵌挿した突起４１を介してカム３を操作し、カム３と係止片１の係合を解除することができる。
操作片４は、付勢手段として内蔵するばね４２により、カム３の係合位置に自動的に復帰する。
また、操作片４の一部には、フックカム５が係合する凹部４３が形成されている。
【００１７】
フックカム５は、図２に示すように、その爪部５１が錠本体のケーシング２１のスリットを介して操作片４の凹部４３に係合し、該操作片４をカム３の係合位置で回転不能に固定するもので、爪部５１の下の軸部５２がケーシング２１に枢支されるとともに、軸部５２の後にばね５３を配設することによって爪部５１を係合側に付勢している。
また、フックカム５の後端には、フックカム操作片６が揺動可能に取り付けられる取付部５４が設けられている。
【００１８】
フックカム操作片６は、図５に示すように、タブ状のツマミ片からなり、先端側の凸部６１をフックカム５の取付部５４に嵌合させることにより、フックカム５に揺動可能に取り付けられている。
このフックカム操作片６を引くことにより、フックカム５の爪部５１が操作片４の凹部４３から抜け、フックカム５と操作片４の係合が解除され、また、フックカム操作片６を離すと、フックカム５はばね５３の作用によって操作片４との係合状態に復帰する。
したがって、引き戸用錠を解錠する場合は、このフックカム操作片６を引きながら、操作片４を回転させる必要があり、両手を使っての操作が必須となる。
【００１９】
かくして、本実施例の引き戸用錠は、一方の引き戸に固定する係止片１と、該係止片１に取着し、他方の引き戸に当接することにより施錠する錠本体２とを備え、該錠本体２に、前記係止片１に係合することにより錠本体２を固定するカム３と、該カム３の係合を解除する操作片４とを設けた引き戸用錠において、前記錠本体２に、操作片４に係合し該操作片４をカム３の係合位置で固定するフックカム５と、該フックカム５の係合を解除するフックカム操作片６とを設けることから、フックカム操作片６を操作しながら操作片４を操作して錠本体２を解錠する必要があり、両手を使わなくては解錠できないことから、割ったガラスの穴から片手を差し入れて行われる不正解錠を防止することができる。
また、操作片４を回転動作により操作するよう構成するとともに、フックカム操作片６を略直線動作により操作するように構成することにより、片手での解錠操作をより確実にできなくして、不正解錠をさらに効果的に防止することができる。
【００２０】
次に、図７〜図１０に、本発明の引き戸用錠の第２実施例を示す。
この引き戸用錠は、図７〜図８に示すように、一方の引き戸（図示省略）に固定する係止片１と、該係止片１に取着し、他方の引き戸（図示省略）に当接することにより施錠する錠本体２とを備え、該錠本体２に、前記係止片１に係合することにより錠本体２を固定するカム３と、該カム３の係合を解除する操作片４とを設けている。
そして、この引き戸用錠は、操作片４に係合し該操作片４をカム３の係合位置で固定するフックカム５と、該フックカム５の係合を解除するフックカム操作片６とを、前記錠本体２に設けている。
なお、係止片１、錠本体２、カム３及び操作片４の構成は、第１実施例と同じであるため、同一部材は同一符号を記すことによりその説明を省略する。
【００２１】
フックカム５は、図７〜図９に示すように、その爪部５１が錠本体２のケーシング２１の横孔２３に摺動可能に嵌挿されており、この横孔２３を介して操作片４の凹部４３に係合し、該操作片４をカム３の係合位置で回転不能に固定する。
このフックカム５は、爪部５１の下部から延設された突起５５が、裏板２２の突起２４との間に介装されたばね５６で押圧されることにより爪部５１が係合側に付勢されている。
また、図１０に示すように、フックカム５の後端には、フックカム操作片６が揺動可能に取り付けられる取付部５４が設けられている。
【００２２】
フックカム操作片６は、図１０に示すように、タブ状のツマミ片からなり、先端側の凸部６１をフックカム５の取付部５４に嵌合させることにより、フックカム５に揺動可能に取り付けられている。
このフックカム操作片６を引くことにより、フックカム５の爪部５１が操作片４の凹部４３から抜け、フックカム５と操作片４の係合が解除され、また、フックカム操作片６を離すと、フックカム５はばね５６の作用によって操作片４との係合状態に復帰する。
したがって、引き戸用錠を解錠する場合は、このフックカム操作片６を引きながら、操作片４を回転させる必要があり、両手を使っての操作が必須となる。
【００２３】
かくして、本実施例の引き戸用錠は、一方の引き戸に固定する係止片１と、該係止片１に取着し、他方の引き戸に当接することにより施錠する錠本体２とを備え、該錠本体２に、前記係止片１に係合することにより錠本体２を固定するカム３と、該カム３の係合を解除する操作片４とを設けた引き戸用錠において、前記錠本体２に、操作片４に係合し該操作片４をカム３の係合位置で固定するフックカム５と、該フックカム５の係合を解除するフックカム操作片６とを設けることから、フックカム操作片６を操作しながら操作片４を操作して錠本体２を解錠する必要があり、両手を使わなくては解錠できないことから、割ったガラスの穴から片手を差し入れて行われる不正解錠を防止することができる。
また、操作片４を回転動作により操作するよう構成するとともに、フックカム操作片６を略直線動作により操作するように構成することにより、片手での解錠操作をより確実にできなくして、不正解錠をさらに効果的に防止することができる。
【００２４】
以上、本発明の引き戸用錠について、その実施例に基づいて説明したが、本発明の引き戸用錠の構成は、上記実施例の記載に限定されるものではなく、その趣旨を逸脱しない範囲において適宜に変更することが可能である。
また、適用対象も、引き違い戸のほか、１枚の引き戸にも適用することができ（この場合、係止片は、固定側に固定するようにする。）、このような使用方法を排除しないものである。
【００２５】
【発明の効果】
本発明の引き戸用錠によれば、一方の引き戸に固定する係止片と、該係止片に取着し、他方の引き戸に当接することにより施錠する錠本体とを備え、該錠本体に、前記係止片に係合することにより錠本体を固定するカムと、該カムの係合を解除する操作片とを設けた引き戸用錠において、前記錠本体に、操作片に係合し該操作片をカムの係合位置で固定するフックカムと、該フックカムの係合を解除するフックカム操作片とを設けることから、フックカム操作片を操作しながら操作片を操作して錠本体を解錠する必要があり、両手を使わなくては解錠できないことから、割ったガラスの穴から片手を差し入れて行われる不正解錠を防止することができる。
【００２６】
また、操作片を回転動作により操作するよう構成するとともに、フックカム操作片を略直線動作により操作するように構成することにより、片手での解錠操作をより確実にできなくして、不正解錠をさらに効果的に防止することができる。
【００２７】
また、操作片をカムの係合位置に自動的に復帰させる付勢手段を配設することにより、引き戸用錠の操作性を向上することができる。
【図面の簡単な説明】
【図１】本発明の引き戸用錠の第１実施例を示す正面図である。
【図２】同実施例の錠本体を示し、（ａ）は施錠状態の背面図、（ｂ）は同断面図、（ｃ）は解錠状態の背面図、（ｄ）は同断面図である。
【図３】錠本体の前半の組み立て工程図である。
【図４】錠本体の後半の組み立て工程図である。
【図５】（ａ）は錠本体ケーシングの３面図、（ｂ）はストッパ片の３面図、（ｃ）はフックカムの４面図、（ｄ）はフックカム操作片の３面図、（ｅ）はカムの３面図である。
【図６】（ａ）は操作片の３面図、（ｂ）はケーシング裏板の３面図、（ｃ）は係止片の正面図である。
【図７】本発明の引き戸用錠の第２実施例を示す施錠状態の断面図である。
【図８】同解錠状態の断面図である。
【図９】（ａ）は錠本体ケーシングの４面図、（ｂ）はケーシング裏板の３面図である。
【図１０】（ａ）はフックカムの３面図、（ｂ）はフックカム操作片の３面図、（ｃ）はフックカムとフックカム操作片の組立体の２面図である。
【符号の説明】
１    係止片
１１  歯部
２    錠本体
２１  ケーシング
２２  裏板
２３  横孔
２４  突起
３    カム
３１  カム歯
３２  ばね
３３  透孔
４    操作片
４１  突起
４２  ばね
４３  凹部
４４  ばね
４５  ピン
５    フックカム
５１  爪部
５２  軸部
５３  ばね
５４  取付部
５５  突起
５６  ばね
６    フックカム操作片
６１  凸部
７    ストッパ片
【図１】
2005023636.tif 000003
【図２】
2005023636.tif 000004
【図３】
2005023636.tif 000005
【図４】
2005023636.tif 000006
【図５】
2005023636.tif 000007
【図６】
2005023636.tif 000008
【図７】
2005023636.tif 000009
【図８】
2005023636.tif 000010
【図９】
2005023636.tif 000011
【図１０】
2005023636.tif 000012